(57)【要約】【課題】  施設に設置される複数の設備の中で、目的とする設備の情報へのアクセスを容易にする設備管理システム、設備管理装置及び設備管理方法を提供する。【解決手段】  設備管理装置１００は、複数の設備の各々について、設備の属性及び施設における設置位置を含む設備情報を記憶する記憶部１２０と、複数の設備の各々に対応するオブジェクトが、対応する設備の施設における設置位置に基づいて配置される複数の設備配置図を生成する図面生成部１３０とを備える。ユーザ端末２００は、複数の設備配置図の中から選択された設備配置図を、施設の見取図に重ねて表示する表示部２３０を備える。図面生成部１３０は、複数の設備の各々の属性別に、対応するオブジェクトを異なる設備配置図に配置する。【選択図】  図１
2015109005.tif 000002
【特許請求の範囲】
【請求項１】
施設に設置される複数の設備の情報を管理する設備管理システムであって、
前記複数の設備の各々について、設備の属性及び前記施設における設置位置を含む設備情報を記憶する記憶部と、
前記複数の設備の各々に対応するオブジェクトが、対応する設備の前記施設における設置位置に基づいて配置される複数の設備配置図を生成する生成部と、
前記複数の設備配置図の中から選択された設備配置図を、前記施設の見取図に重ねて表示する表示部とを備え、
前記生成部は、前記複数の設備の各々の属性別に、対応するオブジェクトを異なる設備配置図に配置することを特徴とする設備管理システム。
【請求項２】
前記複数の設備の各々の属性は、対応する設備業者に応じて定められることを特徴とする請求項１に記載の設備管理システム。
【請求項３】
前記複数の設備の各々の属性は、設備種別に応じて定められることを特徴とする請求項１に記載の設備管理システム。
【請求項４】
前記生成部は、前記複数の設備の各々に対応するオブジェクトの中で、設置位置に固定される設備に対応するオブジェクトと設置位置に固定されない設備に対応するオブジェクトとを、異なる設備配置図に配置することを特徴とする請求項１乃至３のいずれか１項に記載の設備管理システム。
【請求項５】
前記表示部に表示されたオブジェクトの中から所定のオブジェクトが選択された場合に、前記表示部は、前記所定のオブジェクトに対応する設備の設備情報をさらに表示することを特徴とする請求項１乃至４のいずれか１項に記載の設備管理システム。
【請求項６】
前記表示部は、前記所定のオブジェクトに対応する設備の情報を入力するための入力画面をさらに表示し、
前記記憶部は、前記入力画面を介して入力された情報に基づいて、前記所定のオブジェクトに対応する設備の設備情報を更新することを特徴とする請求項５に記載の設備管理システム。
【請求項７】
前記所定のオブジェクトに対応する設備のメンテナンスを要求するメンテナンス要求が前記入力画面を介して入力された場合に、前記所定のオブジェクトに対応する設備に対応する設備業者に対して、メンテナンス要求を送信する通信部をさらに備えることを特徴とする請求項６に記載の設備管理システム。
【請求項８】
前記記憶部は、前記複数の設備の中で、関連して動作する設備の設備情報を関連付けて記憶することを特徴とする請求項１乃至７のいずれか１項に記載の設備管理システム。
【請求項９】
近接する位置に集合的に設置され、かつ属性が同じ複数の設備からなる設備グループが前記複数の設備に含まれる場合に、前記生成部は、前記設備グループに対応するオブジェクトを、前記設備グループに含まれる設備の属性に対応する設備配置図に配置し、
前記生成部は、前記設備グループに含まれる設備の各々の相対的な位置を示す補助設備配置図をさらに生成し、
前記設備グループに対応するオブジェクトが選択された場合に、前記表示部は、前記補助設備配置図をさらに表示することを特徴とする請求項１乃至８のいずれか１項に記載の設備管理システム。
【請求項１０】
施設に設置される複数の設備の情報を管理する設備管理装置であって、
前記複数の設備の各々について、設備の属性及び前記施設における設置位置を含む設備情報を記憶する記憶部と、
前記複数の設備の各々に対応するオブジェクトが、対応する設備の前記施設における設置位置に基づいて配置される複数の設備配置図を生成する生成部と、
前記複数の設備配置図の中から選択された設備配置図を、前記施設の見取図に重ねて表示する表示部とを備え、
前記生成部は、前記複数の設備の各々の属性別に、対応するオブジェクトを異なる設備配置図に配置することを特徴とする設備管理装置。
【請求項１１】
施設に設置される複数の設備の情報を管理する設備管理システムにおける設備管理方法であって、
前記複数の設備の各々について、設備の属性及び前記施設における設置位置を含む設備情報を記憶する記憶ステップと、
前記複数の設備の各々に対応するオブジェクトが、対応する設備の前記施設における設置位置に基づいて配置される複数の設備配置図を生成する生成ステップと、
前記複数の設備配置図の中から選択された設備配置図を、前記施設の見取図に重ねて表示する表示ステップとを備え、
前記生成ステップにおいて、前記複数の設備の各々の属性別に、対応するオブジェクトを異なる設備配置図に配置することを特徴とする設備管理方法。
【発明の詳細な説明】
【技術分野】
【０００１】
本発明は、設備の情報を管理する設備管理システム、設備管理装置及び設備管理方法に関する。
【背景技術】
【０００２】
従来、店舗、工場又はオフィスビル等の施設（以下、施設）では、多数の設備が使用される。そこで、設備の情報を直感的に把握するために、設備に対応する図形又は記号等のオブジェクトが、設備の設置位置に基づいて施設の見取図上に配置された設備配置図をディスプレイに表示する設備管理システムが知られている（例えば、特許文献１）。ユーザは、ディスプレイに表示された設備配置図上で目的とする設備に対応するオブジェクトを特定し、例えば、特定したオブジェクトをクリックすると、目的とする設備の情報が、ディスプレイ上に表示される。
【先行技術文献】
【特許文献】
【０００３】
【特許文献１】特開２００５−１２２４４７号公報
【発明の概要】
【発明が解決しようとする課題】
【０００４】
しかしながら、上述したように、施設では、多数の設備が使用される。そのため、全ての設備に対応するオブジェクトが見取図上に表示されると、ユーザにとっては、目的の設備に対応するオブジェクトを特定することが難しく、目的とする設備の情報に容易にアクセスできない場合がある。
【０００５】
そこで、本発明は、施設に設置される複数の設備の中で、目的とする設備の情報へのアクセスを容易にする設備管理システム、設備管理装置及び設備管理方法を提供することを目的とする。
【課題を解決するための手段】
【０００６】
第１の特徴に係る設備管理システムは、施設に設置される複数の設備の情報を管理する設備管理システムである。設備管理システムは、前記複数の設備の各々について、設備の属性及び前記施設における設置位置を含む設備情報を記憶する記憶部と、前記複数の設備の各々に対応するオブジェクトが、対応する設備の前記施設における設置位置に基づいて配置される複数の設備配置図を生成する生成部と、前記複数の設備配置図の中から選択された設備配置図を、前記施設の見取図に重ねて表示する表示部とを備える。前記生成部は、前記複数の設備の各々の属性別に、対応するオブジェクトを異なる設備配置図に配置する。
【０００７】
第１の特徴において、前記複数の設備の各々の属性は、対応する設備業者に応じて定められる。
【０００８】
第１の特徴において、前記複数の設備の各々の属性は、設備種別に応じて定められる。
【０００９】
第１の特徴において、前記生成部は、前記複数の設備の各々に対応するオブジェクトの中で、設置位置に固定される設備に対応するオブジェクトと設置位置に固定されない設備に対応するオブジェクトとを、異なる設備配置図に配置する。
【００１０】
第１の特徴において、前記表示部に表示されたオブジェクトの中から所定のオブジェクトが選択された場合に、前記表示部は、前記所定のオブジェクトに対応する設備の設備情報をさらに表示する。
【００１１】
第１の特徴において、前記表示部は、前記所定のオブジェクトに対応する設備の情報を入力するための入力画面をさらに表示し、前記記憶部は、前記入力画面を介して入力された情報に基づいて、前記所定のオブジェクトに対応する設備の設備情報を更新する。
【００１２】
第１の特徴において、前記所定のオブジェクトに対応する設備のメンテナンスを要求するメンテナンス要求が前記入力画面を介して入力された場合に、前記所定のオブジェクトに対応する設備に対応する設備業者に対して、メンテナンス要求を送信する通信部をさらに備える。
【００１３】
第１の特徴において、前記記憶部は、前記複数の設備の中で、関連して動作する設備の設備情報を関連付けて記憶する。
【００１４】
第１の特徴において、近接する位置に集合的に設置され、かつ属性が同じ複数の設備からなる設備グループが前記複数の設備に含まれる場合に、前記生成部は、前記設備グループに対応するオブジェクトを、前記設備グループに含まれる設備の属性に対応する設備配置図に配置し、前記生成部は、前記設備グループに含まれる設備の各々の相対的な位置を示す補助設備配置図をさらに生成し、前記設備グループに対応するオブジェクトが選択された場合に、前記表示部は、前記補助設備配置図をさらに表示する。
【００１５】
第２の特徴に係る設備管理装置は、施設に設置される複数の設備の情報を管理する。設備管理装置は、前記複数の設備の各々について、設備の属性及び前記施設における設置位置を含む設備情報を記憶する記憶部と、前記複数の設備の各々に対応するオブジェクトが、対応する設備の前記施設における設置位置に基づいて配置される複数の設備配置図を生成する生成部と、前記複数の設備配置図の中から選択された設備配置図を、前記施設の見取図に重ねて表示する表示部とを備える。前記生成部は、前記複数の設備の各々の属性別に、対応するオブジェクトを異なる設備配置図に配置する。
【００１６】
第３の特徴に係る設備管理方法は、施設に設置される複数の設備の情報を管理する設備管理システムにおける設備管理方法である。設備管理方法は、前記複数の設備の各々について、設備の属性及び前記施設における設置位置を含む設備情報を記憶する記憶ステップと、前記複数の設備の各々に対応するオブジェクトが、対応する設備の前記施設における設置位置に基づいて配置される複数の設備配置図を生成する生成ステップと、前記複数の設備配置図の中から選択された設備配置図を、前記施設の見取図に重ねて表示する表示ステップとを備える。前記生成ステップにおいて、前記複数の設備の各々の属性別に、対応するオブジェクトを異なる設備配置図に配置する。
【発明の効果】
【００１７】
本発明によれば、施設に設置される複数の設備の中で、目的とする設備の情報へのアクセスを容易にする設備管理システム、設備管理装置及び設備管理方法を提供することができる。
【図面の簡単な説明】
【００１８】
【図１】図１は、第１実施形態に係る設備管理システムを示す図である。
【図２】図２は、第１実施形態に係る表示態様の例を示す図である。
【図３】図３は、第１実施形態に係る表示態様の例を示す図である。
【図４】図４は、第１実施形態に係る表示態様の例を示す図である。
【図５】図５は、第１実施形態に係る表示態様の例を示す図である。
【図６】図６は、第１実施形態に係る表示態様の例を示す図である。
【図７】図７は、第１実施形態に係る設備管理方法を示すフロー図である。
【発明を実施するための形態】
【００１９】
以下において、本発明の実施形態に係る制御システムについて、図面を参照しながら説明する。なお、以下の図面の記載において、同一又は類似の部分には、同一又は類似の符号を付している。
【００２０】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２１】
［実施形態の概要］
実施形態に係る設備管理システムは、施設に設置される複数の設備の情報を管理する設備管理システムである。設備管理システムは、前記複数の設備の各々について、設備の属性及び前記施設における設置位置を含む設備情報を記憶する記憶部と、前記複数の設備の各々に対応するオブジェクトが、対応する設備の前記施設における設置位置に基づいて配置される複数の設備配置図を生成する生成部と、前記複数の設備配置図の中から選択された設備配置図を、前記施設の見取図に重ねて表示する表示部とを備える。前記生成部は、前記複数の設備の各々の属性別に、対応するオブジェクトを異なる設備配置図に配置する。
【００２２】
実施形態では、設備の属性別に設けられた複数の設備配置図の中から、選択された設備配置図が、施設の見取図に重ねて表示される。従って、施設に設置される複数の設備の中で、目的とする設備の情報へのアクセスを容易にすることができる。
【００２３】
［第１実施形態］
以下において、第１実施形態に係る設備管理システムについて説明する。図１は、第１実施形態に係る設備管理システムを示す図である。
【００２４】
図１に示すように、第１実施形態に係る設備管理システムは、設備管理装置１００と、ユーザ端末２００とを有する。設備管理装置１００とユーザ端末２００とは、ネットワーク３００を介して接続される。
【００２５】
設備管理装置１００は、例えば、ネットワークサーバである。設備管理装置１００は、施設に設置される複数の設備の情報を管理する。複数の設備は、例えば、空調、照明又は冷ケース等を含む。
【００２６】
ユーザ端末２００は、施設において使用される設備についての情報を入力及び表示するための装置であり、施設に設置される。
【００２７】
ネットワーク３００は、公衆通信回線の一例であり、例えば、インターネット、広域回線網、狭域回線網、又は携帯電話網等である。
【００２８】
（設備管理装置）
第１実施形態において、設備管理装置１００は、通信部１１０と、記憶部１２０と、図面生成部１３０と、修理フロー管理部１４０とを備える。
【００２９】
通信部１１０は、ネットワーク３００を介して、ユーザ端末２００と通信を行う。通信部１１０は、後述する図面生成部１３０が生成する表示データを、ユーザ端末２００に送信する。
【００３０】
通信部１１０は、ユーザ端末２００から送信された情報を受信する。通信部１１０は、設備のメンテナンスを要求するメンテナンス要求を受信した場合に、対応する設備業者に対して、メンテナンス要求を送信する。
【００３１】
記憶部１２０は、通信部１１０が受信した情報を記憶する。
【００３２】
第１実施形態において、記憶部１２０は、複数の設備の各々について、属性及び施設における設置位置を含む設備情報を記憶する。
【００３３】
詳細には、記憶部１２０は、施設の見取図情報と、設備の基本情報と、設備の位置情報とを記憶する。施設の見取図情報は、施設の見取図を生成するための情報であり、施設の壁及び階段等の位置を特定するための情報である。設備の基本情報は、設備のＩＤ、設備種別及び設備業者等を示す情報である。設備の位置情報は、施設における設備の設置位置を示す情報である。設備の属性は、例えば、設備種別又は対応する設備業者に相当する。
【００３４】
また、記憶部１２０は、複数の設備の中で、関連して動作する設備の設備情報を関連付けて記憶する。関連して動作する設備とは、例えば、空調設備の室内機、室外機及び操作盤のように、いずれかの設備の動作に応じて、他の設備が動作する設備をいう。
【００３５】
第１実施形態において、図面生成部１３０は、複数の設備の各々に対応するオブジェクトが、対応する設備の施設における設置位置に基づいて配置される複数の設備配置図を生成する。また、図面生成部１３０は、複数の設備の各々の属性別に、対応するオブジェクトを異なる設備配置図に配置する。具体的には、図面生成部１３０は、設備の属性に応じて複数の設備配置図を生成する。設備に対応するオブジェクト（例えば、図形又は記号等）は、設備の属性に対応する設備配置図に配置される。
【００３６】
ここで、複数の設備の各々の属性は、例えば、対応する設備業者に応じて定められる。あるいは、複数の設備の各々の属性は、設備種別に応じて定められる。
【００３７】
図面生成部１３０は、施設の見取図の表示データと、複数の設備配置図の表示データとを生成する。後述する入力部２２０を介してオブジェクトが選択された場合に、図面生成部１３０は、選択された設備配置図を施設の見取図に重ねた合成図面の表示データを生成し、通信部１１０を介してユーザ端末２００に送信する。
【００３８】
また、図面生成部１３０は、複数の設備の各々に対応するオブジェクトの中で、設置位置に固定される設備に対応するオブジェクトと設置位置に固定されない設備に対応するオブジェクトとを、異なる設備配置図に配置してもよい。設置位置に固定される設備とは、例えば、空調及び照明等のように、固定具等で設置位置に固定され、設置位置の変更が困難な設備をいう。設置位置に固定されない設備とは、例えば、キャスター付き冷ケースのように、設置位置が容易に変更可能な設備をいう。
【００３９】
第１実施形態において、近接する位置に集合的に設置され、かつ属性が同じ複数の設備からなる設備グループ（以下、「近接設備グループ」）が複数の設備に含まれる場合に、図面生成部１３０は、近接設備グループに対応するオブジェクトを、近接設備グループに含まれる設備の属性に対応する設備配置図に配置する。また、図面生成部１３０は、近接設備グループに含まれる設備の各々の相対的な位置を示す補助設備配置図をさらに生成する。
【００４０】
修理フロー管理部１４０は、通信部１１０が後述するユーザ端末２００からメンテナンス要求を受信した場合に、通信部１１０を介して、メンテナンス要求の対象設備に対応する設備業者にメンテナンス要求を送信する。具体的には、修理フロー管理部１４０は、記憶部１２０に記憶された設備情報を参照して、メンテナンス要求の対象設備に対応する設備業者を特定し、メンテナンス対象設備の設備情報及びステータス等を含むメッセージを生成する。
【００４１】
（ユーザ端末）
第１実施形態において、ユーザ端末２００は、通信部２１０と、入力部２２０と、表示部２３０とを備える。
【００４２】
通信部２１０は、ネットワーク３００を介して、設備管理装置１００と通信を行う。通信部２１０は、後述する入力部２２０を介して入力された情報を、設備管理装置１００に送信する。また、通信部２１０は、後述する表示データを設備管理装置１００から受信する。
【００４３】
入力部２２０は、ユーザが施設及び設備についての情報を入力するためのキーボード等である。入力部２２０は、後述する表示部２３０と一体化されたタッチパネルであってもよい。
【００４４】
ユーザは、入力部２２０を介して、例えば、表示部２３０に表示させる設備配置図を選択する。あるいは、ユーザは、設備に故障等が発生した場合に、入力部２２０を介してメンテナンス要求を入力する。
【００４５】
表示部２３０は、通信部２１０が受信した表示データを、ウェブブラウザ等を用いて表示する。具体的には、表示部２３０は、複数の設備配置図の中から選択された設備配置図を、施設の見取図に重ねて表示する。
【００４６】
第１実施形態において、表示部２３０に表示されたオブジェクトの中から所定のオブジェクトが選択された場合に、表示部２３０は、所定のオブジェクトに対応する設備の設備情報をさらに表示する。また、表示部２３０は、所定のオブジェクトに対応する設備の情報を入力するための入力画面をさらに表示する。
【００４７】
第１実施形態において、近接設備グループに対応するオブジェクトが選択された場合に、表示部２３０は、近接設備グループに含まれる設備の各々の相対的な位置を示す補助設備配置図をさらに表示する。
【００４８】
（表示態様）
以下において、第１実施形態に係る表示態様について説明する。図２〜図６は、第１実施形態に係る表示態様の例を示す図である。
【００４９】
まず、ユーザ端末１００の表示部２３０は、施設に設置される複数の設備の中で、表示部２３０に表示させる設備の属性を選択するための選択画面を表示する。選択画面は、例えば、施設に設置される複数の設備に対応する設備の属性を一覧表示する。また、選択画面は、店舗の見取図のみを表示させるための選択肢、及び全ての設備を表示させるための選択肢をさらに表示してもよい。
【００５０】
入力部２２０を介して、表示部２３０に表示させる設備の属性が選択されると、通信部２３０は、選択された設備の属性を示す情報を、設備管理装置１００に送信する。
【００５１】
設備管理装置１００の図面生成部１３０は、選択された設備の属性に対応する設備配置図を、施設（店舗）の見取図に重ねた合成図面を生成する。図２は、店舗の見取図の例を示す。図３は、属性別に設けられた設備配置図の例（ここでは、空調に対応する設備配置図）を示す。通信部１１０は、合成図面の表示データを、ユーザ端末２００に送信する。
【００５２】
ユーザ端末２００の表示部２３０は、通信部２１０を介して取得した表示データに基づいて、合成図面を表示する。図４は、全ての設備を表示させる選択肢が選択された場合に、全ての設備配置図が店舗の見取図に重ねられて表示部２３０に表示される例を示す。図５は、設備の属性として、設備種別が空調である設備が選択された場合に、空調に対応する設備配置図が店舗の見取図に重ねられて表示部２３０に表示される例を示す。
【００５３】
次に、表示部２３０に表示されたオブジェクトの中から、入力部２２０を介して所定のオブジェクトが選択されると、表示部２３０は、所定のオブジェクトに対応する設備の設備情報をさらに表示する。表示部２３０は、例えば、所定のオブジェクトに対応する設備の基本情報を別画面で表示する。また、所定のオブジェクトに対応する設備と関連して動作する設備が存在する場合には、表示部２３０は、所定のオブジェクトに対応する設備と関連して動作する設備の基本情報をさらに表示してもよい。
【００５４】
表示部２３０は、所定のオブジェクトに対応する設備の情報を入力するための入力画面をさらに表示する。通信部２１０は、入力画面を介して入力された情報を設備管理装置１００に送信し、記憶部２２０は、受信した情報に基づいて、所定のオブジェクトに対応する設備の設備情報を更新する。
【００５５】
また、所定のオブジェクトに対応する設備のメンテナンスを要求するメンテナンス要求が入力画面を介して入力された場合、通信部２１０は、メンテナンス要求を設備管理装置１００に送信する。メンテナンス要求は、例えば、対象設備の設備情報と、対象設備のステータス情報（例えば、異常の内容等）とを含む。
【００５６】
修理フロー管理部１４０は、記憶部１２０を参照して対象設備に対応する設備業者を特定する。修理フロー管理部１４０は、特定された設備業者に対して、メンテナンス要求を送信する。
【００５７】
ここで、対象設備と関連して動作する設備が存在する場合には、修理フロー管理部１４０は、特定された設備業者に対して、対象設備と関連して動作する設備の設備情報をさらに含むメンテナンス要求を送信する。例えば、空調の室内機に異常が発生したことを通知するエラーメッセージが、空調の操作盤に表示された場合に、修理フロー管理部１４０は、空調の操作盤の設備情報に加えて、空調の室内機の設備情報をさらに含むメンテナンス要求を送信する。これにより、入力部２２０を介して選択されたオブジェクトに対応する設備と、メンテナンスを必要とする設備とが異なる場合でも、メンテナンスが必要な設備の設備情報を含むメンテナンス要求を送信することができる。
【００５８】
また、近接設備グループが複数の設備に含まれる場合に、図面生成部１３０は、近接設備グループに対応するオブジェクトを、近接設備グループに含まれる設備の属性に対応する設備配置図に配置する。すなわち、図面生成部１３０は、近接設備グループ（例えば、空調操作盤のグループ）が複数の設備に含まれる場合に、個別の設備に対応するオブジェクトを設備配置図に配置する代わりに、近接設備グループに対応するオブジェクトを、対応する設備配置図に配置する。これにより、設備配置図に配置されるオブジェクトが錯綜することを防ぐ。
【００５９】
また、図面生成部１３０は、近接設備グループに含まれる設備の各々の相対的な位置を示す補助設備配置図の表示データを生成する。通信部１１０は、補助設備配置図をユーザ端末１００に送信する。表示部２３０に表示されたオブジェクトの中から近接設備グループに対応するオブジェクトが選択された場合に、表示部２３０は、補助設備配置図をさらに表示する。図６は、近接設備グループに対応するオブジェクトが選択された場合に、補助設備配置図が表示部２３０に表示される例を示す。これにより、近接設備グループに含まれる設備に対応するオブジェクトが視認しやすい態様で表示される。
【００６０】
補助設備配置図に配置されたオブジェクトが入力部２２０を介して選択された場合、表示部２３０は、設備配置図に配置されたオブジェクトの中から所定のオブジェクトが選択された場合と同様に、選択されたオブジェクトに対応する設備の基本情報を表示する。
【００６１】
（設備管理方法）
以下において、第１実施形態に係る設備管理方法について説明する。図７は、第１実施形態に係る設備管理方法を示すフロー図である。
【００６２】
図７に示すように、ステップＳ１００において、設備管理装置１００（記憶部１２０）は、各設備の設備情報を記憶する。設備情報は、設備の位置情報及び基本情報を含む。設備の基本情報は、設備の属性を示す情報を含む。
【００６３】
ステップＳ１１０において、設備管理装置（記憶部１２０）は、店舗の見取図情報を記憶する。
【００６４】
ステップＳ１２０において、設備管理装置（図面生成部１３０）は、設備の属性毎に設けられた複数の設備配置図を生成する。
【００６５】
ステップＳ１３０において、ユーザ端末２００（表示部２３０）は、選択された設備配置図を、店舗の見取図に重ねて表示する。
【００６６】
以上説明したように、表示部２３０は、設備の属性別に設けられた複数の設備配置図の中から選択された設備配置図を、施設の見取図に重ねて表示する。従って、施設に多数の設備が設置される場合であっても、選択された設備の属性に対応する設備配置図のみを施設の見取図に重ねて表示することにより、表示部２３０に表示されるオブジェクトを限定することができる。そのため、本発明によれば、施設に設置される複数の設備の中で、目的とする設備の情報へのアクセスを容易にすることができる。
【００６７】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６８】
本実施形態では、設備管理装置１００は、ネットワークサーバであるものとして説明した。しかしながら、設備管理装置１００は、設備が使用される施設内に設けられていてもよい。この場合、設備管理装置１００は、施設内に設けられた有線ＬＡＮ又は無線ＬＡＮを介して、施設に設置されるユーザ端末２００及び設備と接続されてもよい。また、この場合、表示部は、ユーザ端末２００ではなく、設備管理装置１００に設けられていてもよい。
【００６９】
また、本実施形態では、設備管理装置１００（図面生成部１３０）が合成図面の表示データを生成し、設備管理装置１００から受信した表示データを、ユーザ端末２００（表示部２３０）がウェブブラウザ等を用いて表示するものとして説明した。しかしながら、ユーザ端末２００が、合成図面の表示データを生成してもよい。この場合、設備管理装置１００は、施設の見取図の表示データと、複数の設備配置図の表示データとをユーザ端末２００に送信し、ユーザ端末２００は、入力部を介して選択された設備配置図に対応する表示データを設備管理装置１００から受信した表示データの中から選択して、合成図面を生成及び表示する。
【符号の説明】
【００７０】
１００…設備管理装置、１１０…通信部、１２０…記憶部、１３０…図面生成部、１４０…修理フロー管理部、２００…ユーザ端末、２１０…通信部、２２０…入力部、２３０…表示部、３００…ネットワーク
【図１】
2015109005.tif 000003
【図２】
2015109005.tif 000004
【図３】
2015109005.tif 000005
【図４】
2015109005.tif 000006
【図５】
2015109005.tif 000007
【図６】
2015109005.tif 000008
【図７】
2015109005.tif 000009